【手続補正書】
【提出日】平成18年3月14日(2006.3.14)
【手続補正１】
【補正対象書類名】明細書
【補正対象項目名】特許請求の範囲
【補正方法】変更
【補正の内容】
【特許請求の範囲】
【請求項１】  連続して再生される単一データファイルを所定長単位でブロック化すると共に、上記所定長から成るブロッグが属性ファイルを付加して記録されたデータ領域と、上記データ領域に記録されたデータファイルを管理する管理データが記録された管理領域から成る不揮発性メモリに記録されたデータファイルを編集する編集装置において、
上記データ領域に記録されている結合処理される２つのデータファイルを選択する操作手段と、
上記操作手段にて選択された上記２つのデータファイルのうち後方に位置するデータファイルに付加されている属性ファイルを分離する分離手段と、
上記操作手段にて選択された上記２つのデータファイルを論理的にリンクするように上記管理領域に記録された管理データを編集すると共に、上記操作手段にて選択された上記２つのデータファイルのうち前方に位置するデータファイルに付加されている属性ファイルを編集する編集手段と、
上記編集手段にて編集された上記管理データを上記管理領域に記録すると共に、編集された上記前方に位置するデータファイルに付加されている属性ファイルを上記データ領域に記録する記録手段と
からなることを特徴とする編集装置。
【請求項２】  請求項１において、
上記管理領域に記録された上記管理データは、ファイルアロケーションテーブルであることを特徴とする編集装置。
【請求項３】  請求項１において、
上記データ領域には、さらに総データファイル数が少なくとも管理されている再生管理データが記録されていることを特徴とする編集装置。
【請求項４】  請求項１において、
上記属性ファイルには、上記データファイルに対して暗号化するためのキーが記録されており、上記編集処理に伴いキーを書き換えることを特徴とする編集装置。
【請求項５】  請求項１において、
上記属性ファイルには、対応するデータファイルの総データ量が記録されており、上記編集手段にて編集される上記前方に位置するデータファイルに付加されている上記属性ファイルの総データ量を、上記前方に位置するデータファイルに付加されている上記属性ファイルの総データ量と、上記後方に位置するデータファイルに付加されている上記属性ファイルの総データ量とを加算した値に書き換えることを特徴とする編集装置。
【請求項６】  請求項１において、
上記分離手段にて、分離された上記後方に位置するデータファイルに付加されている上記属性ファイルを記録可能ブロックとして指定することを特徴とする編集装置。
【請求項７】  請求項１において、
上記編集手段にて、編集される上記前方に位置するデータファイルに付加されている上記属性ファイルは、上記後方に位置するデータファイルに付加されている上記属性ファイルに基づいて編集されることを特徴とする編集装置。
【請求項８】  請求項１において、
連続して再生される上記単一データファイルは、ブロック化された複数のブロックを集合化した少なくとも１つ以上のパーツから構成され、上記属性ファイルは上記パーツ数を管理することを特徴とする編集装置。
【請求項９】  請求項８において、
上記編集手段にて、上記前方に位置するデータファイルの上記属性ファイルで管理されているパーツ数と、上記後方に位置するデータファイルの上記属性ファイルで管理されているパーツ数とを加算した値に基づいて、上記前方に位置するデータファイルに付加されている上記属性ファイルを編集することを特徴とする編集装置。
【請求項１０】  請求項８において、
上記属性ファイルには、各パーツを暗号化するためのパーツキーが記録されていることを特徴とする編集装置。
【請求項１１】  請求項１０において、
上記編集時上記パーツキーを書換えることを特徴とする編集装置。
【請求項１２】  請求項１０において、
上記属性ファイルには、上記データファイルに対して暗号化するためのキーが記録されており、上記キーに基づいて上記パーツキーを暗号化することを特徴とする編集装置。
【請求項１３】  連続して再生される単一データファイルを所定長単位でブロック化すると共に、上記所定長から成るブロッグが属性ファイルを付加して記録されたデータ領域と、上記データ領域に記録されたデータファイルを管理する管理データが記録された管理領域から成る不揮発性メモリに記録されたデータファイルを編集する編集方法において、
上記データ領域に記録されている結合処理される２つのデータファイルを選択するステップと、
選択された上記２つのデータファイルのうち後方に位置するデータファイルに付加されている属性ファイルを分離するステップと、
選択された上記２つのデータファイルを論理的にリンクするように上記管理領域に記録された管理データを編集すると共に、選択された上記２つのデータファイルのうち前方に位置するデータファイルに付加されている属性ファイルを編集するステップと、
編集された上記管理データを上記管理領域に記録すると共に、編集された上記前方に位置するデータファイルに付加されている上記属性ファイルを上記データ領域に記録するステップと
からなることを特徴とする編集方法。
【請求項１４】  連続して再生される単一データファイルを所定長単位でブロック化すると共に、上記所定長から成るブロッグが属性ファイルを付加して記録されたデータ領域と、上記データ領域に記録されたデータファイルを管理する管理データが記録された管理領域から成る不揮発性メモリに記録されたデータファイルを編集する編集装置において、
上記データ領域に記録されている所定のデータファイル中の分割点を設定する操作手段と、
上記操作手段にて、設定された上記データファイルの分割点に基づいて付加されている属性ファイルと、管理データとを編集する編集手段と、
上記操作手段にて、設定された上記データファイルの分割点の後方に位置するデータに対して属性ファイルを生成する生成手段と、
上記編集手段にて編集された上記管理データを上記管理領域に記録すると共に、編集された前方に位置するデータファイルに付加されている属性ファイルと、生成された上記属性ファイルとを上記データ領域に記録する記録手段と
からなることを特徴とする編集装置。
【請求項１５】  請求項１４において、
上記管理領域に記録された管理データは、ファイルアロケーションテーブルであることを特徴とする編集装置。
【請求項１６】  請求項１４において、
上記データ領域には、さらに総データファイル数が少なくとも管理されている再生管理データが記録されていることを特徴とする編集装置。
【請求項１７】  請求項１４において、
上記属性ファイルには、上記データファイルに対して暗号化するためのキーが記録されており、上記編集処理に伴いキーを書き換えることを特徴とする編集装置。
【請求項１８】  請求項１４において、
上記生成手段にて、生成される分割点の上記後方に位置するデータファイルに対する上記属性ファイルには、対応するデータファイルの総データ量が管理されていることを特徴とする編集装置。
【請求項１９】  請求項１４において、
連続して再生される上記単一データファイルは、ブロック化された複数のブロックを集合化した少なくとも１つ以上のパーツから構成され、上記属性ファイルは上記パーツ数を管理することを特徴とする編集装置。
【請求項２０】  請求項１９において、
上記編集手段では、上記操作手段にて設定された分割点に基づいて、上記前方に位置するデータファイルの上記属性ファイルで管理されているパーツ数と、上記後方に位置するデータファイルの上記属性ファイルで管理されているパーツ数とを編集することを特徴とする編集装置。
【請求項２１】  請求項１９において、
上記属性ファイルには、各パーツを暗号化するためのパーツキーが記録されていることを特徴とする編集装置。
【請求項２２】  請求項２１において、
上記編集時上記パーツキーを書換えることを特徴とする編集装置。
【請求項２３】  請求項２１において、
上記属性ファイルには、上記データファイルに対して暗号化するためのキーが記録されており、上記キーに基づいて上記パーツキーを暗号化することを特徴とする編集装置。
【請求項２４】  連続して再生される単一データファイルを所定長単位でブロック化すると共に、上記所定長から成るブロッグが属性ファイルを付加して記録されたデータ領域と、上記データ領域に記録されたデータファイルを管理する管理データが記録された管理領域から成る不揮発性メモリに記録されたデータファイルを編集する編集方法において、
上記データ領域に記録されている所定のデータファイル中の分割点を設定するステップと、
設定された上記データファイルの分割点に基づいて付加されている属性ファイルと管理データとを編集すると共に、設定された上記データファイルの分割点の後方に位置するデータに対して属性ファイルを生成する編集ステップと、
編集された上記管理データを上記管理領域に記録すると共に、編集された前方に位置するデータファイルに付加されている属性ファイルと、生成された上記属性ファイルとを上記データ領域に記録するステップと
からなることを特徴とする編集方法。
【手続補正２】
【補正対象書類名】明細書
【補正対象項目名】００１５
【補正方法】変更
【補正の内容】
【００１５】
【課題を解決するための手段】
上述した課題を解決するために、請求項１の発明は、連続して再生される単一データファイルを所定長単位でブロック化すると共に、所定長から成るブロッグが属性ファイルを付加して記録されたデータ領域と、データ領域に記録されたデータファイルを管理する管理データが記録された管理領域から成る不揮発性メモリに記録されたデータファイルを編集する編集装置において、データ領域に記録されている結合処理される２つのデータファイルを選択する操作手段と、操作手段にて選択された２つのデータファイルのうち後方に位置するデータファイルに付加されている属性ファイルを分離する分離手段と、操作手段にて選択された２つのデータファイルを論理的にリンクするように管理領域に記録された管理データを編集すると共に、操作手段にて選択された２つのデータファイルのうち前方に位置するデータファイルに付加されている属性ファイルを編集する編集手段と、編集手段にて編集された管理データを管理領域に記録すると共に、編集された前方に位置するデータファイルに付加されている属性ファイルをデータ領域に記録する記録手段とからなることを特徴とする編集装置である。
【手続補正３】
【補正対象書類名】明細書
【補正対象項目名】００１６
【補正方法】変更
【補正の内容】
【００１６】
請求項１３に記載の発明は、連続して再生される単一データファイルを所定長単位でブロック化すると共に、所定長から成るブロッグが属性ファイルを付加して記録されたデータ領域と、データ領域に記録されたデータファイルを管理する管理データが記録された管理領域から成る不揮発性メモリに記録されたデータファイルを編集する編集方法において、データ領域に記録されている結合処理される２つのデータファイルを選択するステップと、選択された２つのデータファイルのうち後方に位置するデータファイルに付加されている属性ファイルを分離するステップと、選択された２つのデータファイルを論理的にリンクするように管理領域に記録された管理データを編集すると共に、選択された２つのデータファイルのうち前方に位置するデータファイルに付加されている属性ファイルを編集するステップと、編集された管理データを管理領域に記録すると共に、編集された前方に位置するデータファイルに付加されている属性ファイルをデータ領域に記録するステップとからなることを特徴とする編集方法である。
【手続補正４】
【補正対象書類名】明細書
【補正対象項目名】００１７
【補正方法】変更
【補正の内容】
【００１７】
請求項１４に記載の発明は、連続して再生される単一データファイルを所定長単位でブロック化すると共に、所定長から成るブロッグが属性ファイルを付加して記録されたデータ領域と、データ領域に記録されたデータファイルを管理する管理データが記録された管理領域から成る不揮発性メモリに記録されたデータファイルを編集する編集装置において、データ領域に記録されている所定のデータファイル中の分割点を設定する操作手段と、操作手段にて、設定されたデータファイルの分割点に基づいて付加されている属性ファイルと、管理データとを編集する編集手段と、操作手段にて、設定されたデータファイルの分割点の後方に位置するデータに対して属性ファイルを生成する生成手段と、編集手段にて編集された管理データを管理領域に記録すると共に、編集された前方に位置するデータファイルに付加されている属性ファイルと、生成された属性ファイルとをデータ領域に記録する記録手段とからなることを特徴とする編集装置である。
【手続補正５】
【補正対象書類名】明細書
【補正対象項目名】００１８
【補正方法】変更
【補正の内容】
【００１８】
請求項２４に記載の発明は、連続して再生される単一データファイルを所定長単位でブロック化すると共に、所定長から成るブロッグが属性ファイルを付加して記録されたデータ領域と、データ領域に記録されたデータファイルを管理する管理データが記録された管理領域から成る不揮発性メモリに記録されたデータファイルを編集する編集方法において、データ領域に記録されている所定のデータファイル中の分割点を設定するステップと、設定されたデータファイルの分割点に基づいて付加されている属性ファイルと管理データとを編集すると共に、設定されたデータファイルの分割点の後方に位置するデータに対して属性ファイルを生成する編集ステップと、編集された管理データを管理領域に記録すると共に、編集された前方に位置するデータファイルに付加されている属性ファイルと、生成された属性ファイルとをデータ領域に記録するステップとからなることを特徴とする編集方法である。